(57)【要約】【課題】  本発明は, 語学の学習のような教育に使用されるヴォイスカードとオーディオブックの内容を音響に再生するヴォイスカードとオーディオブック兼用プレーヤー及びその制御方法に関するものである。【解決手段】  本発明によるプレーヤーは、ヴォイスカード感知部、オーディオブックページ感知部、ヴォイスカード移動部、ヴォイスカードの情報貯蔵部とオーディオブックの情報貯蔵部を含むメモリー、デジタル情報処理部、スピーカーおよび上記構成要素を制御するＭＣＵで構成される。上記のように構成されたプレーヤーは自動にオーディオブックの種類およびページを判別して対応するオーディオデータがスピーカーを通じて出力できるようにして、オーディオブックモードの実行中にヴォイスカードが挿入されると挿入されたヴォイスカードの対応するオーディオデータを先に出力した後、オーディオブックの残りのデータが出力できるようにする。【選択図】  図１
2005091769.tif 000002
【特許請求の範囲】
【請求項１】
オーディオデータの位置アドレスを表わすバーコードを含むヴォイスカードとオーディオブックの情報と各ページに相応する音声データの位置アドレス情報とを含むオーディオブックのオーディオデータを出力するヴォイスカード及びオーディオブック兼用プレーヤーにおいて、
フォトセンサーを含み、上記ヴォイスカードの挿入感知信号と、上記バーコードの感知信号とを出力するヴォイスカード感知部；
前記オーディオブックの情報と音声データ位置アドレス情報を感知するオーディオブックページ感知部；
前記ヴォイスカード感知部から前記ヴォイスカードの挿入感知信号が出力されると駆動し、前記ヴォイスカードを所定速度で移動させるヴォイスカード移動部；
前記ヴォイスカード感知部から出力されるヴォイスカードのバーコードの感知信号に対応するヴォイスカードデータ位置情報と該ヴォイスカードデータ位置情報に対応するオーディオデータを含むヴォイスカードの情報貯蔵部と、前記オーディオブックページ感知部から出力されるオーディオブックの情報と前記オーディオブックのぺージアドレス情報に対応するオーディオブックのオーディオデータ位置情報を含むオーディオブックの情報貯蔵部を含むメモリー；
前記メモリーに貯蔵されたデータをデコーディングしてアナログ信号に変換するデジタル情報処理部；
前記デジタル情報処理部からのアナログ信号を出力するスピーカー；
および
前記ヴォイスカード感知部と前記オーディオブックぺージ感知部からの信号によって前記ヴォイスカード移動部を駆動させて、前記ヴォイスカードデータアドレスと、前記オーディオブックの種類およびページアドレスを判断して、前記ヴォイスカードデータ及び前記オーディオブックデータが前記デジタル情報処理部でデコーディングされた後、前記スピーカーを通じて出力できるよう前記デジタル情報処理部と上記スピーカーを制御して、上記オーディオブックデータ出力中に前記ヴォイスカードの挿入感知信号が入力されると対応するオーディオブックデータを貯蔵し、その後、挿入された前記ヴォイスカードに対応する前記データが出力されると、貯蔵されたオーディオブックデータが出力されるよう制御するＭＣＵを含むことを特徴とするヴォイスカード及びオーディオブック兼用プレーヤー。
【請求項２】
前記メモリーに貯蔵された前記ヴォイスカードの前記アドレス情報は、トラック番地とインデックス番地とで構成され、前記トラック番地は前記ヴォイスカードに使われる言語の個数によって定義され、前記インデックス番地は、前記トラック番地の下位番地であり、前記ヴォイスカードに使われるキャラクター又は記号の個数によって定義され、前記ヴォイスカードのデータが貯蔵された位置を規定することを特徴とする請求項１に記載のヴォイスカード及びオーディオブック兼用プレーヤー。
【請求項３】
前記オーディオブックページ感知部は、接点スイッチ、光センサー、リードセンサー、ホールセンサー、及び電子ペン方式からなる群の中から選択されたいずれかによってページ感知信号を出力することを特徴とする請求項１又は２に記載のヴォイスカード及びオーディオブック兼用プレーヤー。
【請求項４】
前記オーディオブックは、ホールセンサーと電子ペン認識マークとを含み、前記ＭＣＵは、前記オーディオブックページ感知部から出力される前記ホールセンサー感知信号に基づき前記オーディオブックの種類を判断して、前記電子ペン感知信号に基づきページ位置情報を判断することを特徴とする請求項１〜３のいずれかに記載のヴォイスカード及びオーディオブック兼用プレーヤー。
【請求項５】
前記オーディオブックデータ出力中に、前記ヴォイスカードの挿入感知信号が入力されると、前記オーディオブックデータが貯蔵できるバッファをさらに含むことを特徴とする請求項１〜４のいずれかに記載のヴォイスカード及びオーディオブック兼用プレーヤー。
【請求項６】
オーディオデータの位置アドレスを表すバーコードを含むヴォイスカード及びオーディオブックからのオーディオデータを出力する、ヴォイスカードとオーディオブック兼用プレーヤーの制御方法において、
ａ）オーディオブックページ感知部から感知信号が入力されたかを判断する段階；
ｂ）上記ａ)段階で前記感知信号が入力されたと判断されると、前記感知信号を読み取り、該信号に対応するオーディオブックおよびページのアドレスを判断する段階；
ｃ）上記ｂ)段階で判断された前記アドレスに対応するオーディオブックのデータをデジタル情報処理部に適用する段階；
ｄ）上記デジタル情報処理部でデコーディングされた前記オーディオデータをスピーカーを通じて出力する段階；
ｅ）前記オーディオデータの出力中に、ヴォイスカードの挿入感知信号が入力されたかを判断する段階；
ｆ）前記ヴォイスカードの挿入感知信号が入力されたと判断されると、オーディオブックのオーディオ出力を中断してデコーディングされた残りのデータを貯蔵する段階；
ｇ）カード移動部を駆動する段階；
ｈ）ヴォイスカード感知部から入力される信号を読み、該信号に基づき、バーコード及び該バーコードに対応するヴォイスカードオーディオデータのアドレスを判断する段階；
ｉ）上記ｈ)段階で判断された前記アドレスに対応する前記ヴォイスカードのオーディオデータをデジタル情報処理部に適用する段階；および
ｊ）前記デジタル情報処理部でデコーディングされたデータをスピーカーを通じて出力する段階；
ｋ）前記デジタル情報処理部でデコーディングされた前記データの出力が完了されたかを判断する段階；
ｌ）上記ｋ)段階で前記デジタル情報処理部でデコーディングされた前記データの出力が完了できたと判断されると、上記段階ｆ)で貯蔵されたオーディオブックのデータをスピーカーを通じて出力する段階；を含むことを特徴とするヴォイスカードとオーディオブック兼用プレーヤーの制御方法。
【請求項７】
上記ｆ）段階において貯蔵されたデコーディングされた残りのデータはバッファに貯蔵されることを特徴とする請求項６に記載のヴォイスカード及びオーディオブック兼用プレーヤーの制御方法。
【発明の詳細な説明】
【技術分野】
【０００１】
本発明は, 語学の学習のような教育に使用されるヴォイスカードとオーディオブックの内容を音響に再生するヴォイスカードとオーディオブック兼用プレーヤ及びその制御方法に関するものである。
【背景技術】
【０００２】
一般的に、幼児用図書は各ページに絵と文章が図示されていて、幼児達が絵と対応する文章を連想し親が隣で文章を読んであげることで、言葉と文字を習うことになる。このような幼児用図書は親が隣で文を読んであげなければならない不便さがあるので、これを解決するために、オーディオブックとその出力装置などが開発されている。
【０００３】
特に、本のページを認識して、開けられたページの内容を音で発生させるオーディオブックおよびその出力装置（以下オーディオブック装置と称する）が、開発されて使用されている。
【０００４】
従来のオーディオブックでは、日本公開実用新案公報平２−６２４６４（１９９０．５．１０．）に開示されたことのように、バーコードリーダー機を利用して絵本の該当ページを認識することによって、該当するページの内容を音声で再生するオーディオブック出力装置を提供している。
【０００５】
しかし、認知力の不足な幼児達が、このようなバーコードリーダー機を使用するのは、事実上不可能だと言う問題点がある。
【０００６】
なおかつ、大韓民国公開実用新案公報第９６−３８４２７号（１９９６．１２．１８．）では各ページに多数のドットを形成し、光センサーが内蔵された電子ペンで該当ドットを感知することによってページを認識する装置を開示しているが、これも上記の日本公開実用新案公報平２−６２６４６のように、幼児達が利用しにくい問題点をもっている。  それ故、使用者が直接ポインティング等の選択操作をしないで自動的に図書の種類とページを認識して、該当ページをオーディオで出力するような、嬰幼児がより便利に利用できる新しいオーディオブックおよびその出力装置の開発が要求されている。
【０００７】
さらに、オーディオブックに加えて、絵や記号等が印刷されたカードを利用して、カードに印刷された内容に関する音楽やメッセージが出力されるヴォイスカードもまた、嬰幼児の教育に多く利用されている。
このようなヴォイスカードは磁気テープ方式が多く利用された。ヴォイスカードの前面には、絵とこれに該当する英語やハングル等の文字が印刷されていて、カードの下端部は、絵の内容に該当する音声情報が記録されている磁気テープが付着される。このようなヴォイスカードを利用した学習行為は、ヴォイスカードをヴォイスカードプレーヤーの挿入溝に挿入して横方向に手動で移動させ、磁気テープに入力された音声情報が再生されることのよって成り立つ。
【発明の開示】
【発明が解決しようとする課題】
【０００８】
ところで、このようなヴォイスカードは手動に移動されるため、移動速度が均一ではないために音質が低下され再生時間もまた磁気テープの長さ(即ち、ヴォイスカードの長さ)によって制限されるため、物語の本や歌を貯蔵して使うことに困難だった。さらに、幼児がこれを操作するのに、一定な速度でヴォイスカードを手動で移動することが容易ではないという問題点がある。それに、磁気テープに音声情報を録音する段階とヴォイスカードごとに磁気テープを付着する段階が必須的なので、上記磁気テープ式ヴォイスカードは費用面でも非効率的と言う問題点をもっている。
【０００９】
さらに、このようなオーディオブック装置およびヴォイスカードを利用した学習再生システムは、両方別個の技術として開発されてきた。それ故、幼児に対する段階別学習および多機能学習を遂行するためには
相異な二つ以上の製品を具備しなければならないので、これによる経済的負担とともに資源の浪費を招来する問題点があった。
【００１０】
本発明は上記の問題点を解決するために案出されたもので、本発明の目的は嬰幼児がエラーを発生することなく、より手軽で簡単な方法で利用できるようなヴォイスカードプレーヤー機能とともにオーディオブックの内容の出力機能をともに実行できるヴォイスカードとオーディオブック兼用プレーヤーおよびその制御方法を提供することである。
【課題を解決するための手段】
【００１１】
本発明によるヴォイスカード及びオーディオブック兼用プレーヤーは、オーディオデータの位置アドレスの表すバーコードを含むヴォイスカードとオーディオブックの情報と各ページに相応する音声データの位置アドレスを含むオーディオブックのオーディオデータを出力するプレーヤーにおいて、フォトセンサーを含み、上記ヴォイスカードの挿入感知信号と、上記バーコードの感知信号とを出力するヴォイスカード感知部、前記オーディオブックの情報と音声データ位置アドレス情報を感知するオーディオブックページ感知部、上記ヴォイスカード感知部から前記ヴォイスカードの挿入感知信号が出力されると駆動し、前記ヴォイスカードを所定速度で移動させるヴォイスカード移動部、前記ヴォイスカード感知部から出力されるヴォイスカードのバーコードの感知信号に対応するヴォイスカードデータ位置情報と該ヴォイスカードデータ位置情報に対応するオーディオデータを含むヴォイスカードの情報貯蔵部と、前記オーディオブックページ感知部から出力されるオーディオブックの情報と前記オーディオブックのページアドレス情報に対応するオーディオブックのオーディオデータ位置情報を含むオーディオブックの情報貯蔵部を含むメモリー、前記メモリーに貯蔵されたデータをデコーディングしてアナログ信号に変換するデジタル情報処理部、前記デジタル情報処理部からのアナログ信号を出力するスピーカーおよび前記ヴォイスカード感知部と前記オーディオブックページ感知部の信号によって前記ヴォイスカード移動部を駆動させて、前記ヴォイスカードデータアドレスと、前記オーディオブックの種類およびページアドレスを判断し、前記ヴォイスカードデータ及び前記オーディオブックデータが前記デジタル情報処理部でデコーディングされた後、前記スピーカーを通じて出力できるよう前記デジタル情報処理部と上記スピーカーを制御して、上記オーディオブックデータ出力中に前記ヴォイスカードの挿入感知信号が入力されると対応するオーディオブックデータを貯蔵し、その後、挿入された前記ヴォイスカードに対応する前記データが出力されると、貯蔵されたオーディオブックデータが出力されるように制御するＭＣＵを含むことを特徴とする。
【００１２】
前記メモリーに貯蔵された前記ヴォイスカードの前記アドレス情報は、トラック番地とインデックス番地とで構成され、前記トラック番地は前記ヴォイスカードに使われる言語の個数によって定義され、前記インテックス番地は、前記トラック番地の下位番地であり、前記ヴォイスカードに使われるキャラクター又は記号の個数によって定義され、前記ヴォイスカードのデータが貯蔵された位置を規定することが好ましい。
【００１３】
前記オーディオブックページ感知部は、接点スイッチ、光センサー、リードセンサー、ホールセンサー、及び電子ペン方式からなる群の中から選択されたいずれかによってページ感知信号を出力することが好ましい。
【００１４】
そして、前記オーディオブックは、ホールセンサーと電子ペン認識マークとを含み、前記ＭＣＵは、前記オーディオブックページ感知部から出力される前記ホールセンサー感知信号に基づき前記オーディオブックの種類を判断し、前記電子ペン感知信号に基づきページ位置情報を判断することが好ましい。
【００１５】
前記オーディオブックデータ出力中に、前記ヴォイスカードの挿入感知信号が入力されると、前記オーディオブックデータが貯蔵されるバッファをさらに含むことが好ましい。
【００１６】
他の目的を達成するために、本発明に係るヴォイスカード及びオーディオブック兼用プレーヤーの制御方法は、オーディオデータの位置アドレスを表すバーコードを含むヴォイスカード及びオーディオブックからのオーディオデータを出力するプレーヤーにおいて、ａ）オーディオブックページ感知部から感知信号が入力されたかを判断する段階、ｂ）上記 ａ)段階で前記感知信号が入力されたと判断されると、前記感知信号を読み取り、該信号に対応するオーディオブック及びページのアドレスを判断する段階、ｃ）上記 ｂ)段階で判断された前記アドレスに対応するオーディオブックのデータをデジタル情報処理部に適用する段階、ｄ）上記デジタル情報処理部でデコーディングされた前記オーディオデータをスピーカーを通じて出力する段階、ｅ）前記オーディオデータの出力中に、ヴォイスカードの挿入感知信号が入力されたかを判断する段階、ｆ）前記ヴォイスカードの挿入感知信号が入力されたと判断されると、オーディオブックのオーディオ出力を中断し、デコーディングされた残りのデータを貯蔵する段階、ｇ）カード移動部を駆動する段階、ｈ）ヴォイスカード感知部から入力される信号を読み、該信号に基づき、バーコード及び該バーコードに対応するヴォイスカードオーディオデータのアドレスを判断する段階、ｉ）上記 ｈ)段階で判断された前記アドレスに対応する前記ヴォイスカードのオーディオデータをデジタル情報処理部に適用する段階、およびｊ）前記デジタル情報処理部でデコーディングされたデータをスピーカーを通じて出力する段階、ｋ）前記デジタル情報処理部でデコーディングされた前記データの出力が完了されたかを判断する段階、ｌ）上記 ｋ)段階で前記デジタル情報処理部でデコーディングされた前記データの出力が完了できたと判断されると、上記 ｆ)段階で貯蔵されたオーディオブックのデータをスピーカーを通じて出力する段階を含むことを特徴とする。
【００１７】
上記 ｆ)段階において貯蔵されたデコーディングされた残りのデータは、バッファに貯蔵されるのが好ましい。
【発明の効果】
【００１８】
このようにオーディオブック出力中ヴォイスカードが挿入された場合の制御方法を具備することで、使用者の不注意な操作にもエラーが発生することなく、ヴォイスカード駆動モードを実行させた後、オーディオブックの残りのデータが出力されるようにできる。
【００１９】
従って、この発明によれば、オーディオブックおよびヴォイスカード用のプレーヤの操作は簡単なため、子供をはじめとする嬰/幼児が利用する場合にも作動方法が簡単でエラーが発生しなくて楽に使用することできる。
【発明を実施するための最良の形態】
【００２０】
本発明を好ましい実施例を用いて、図面に基づいて詳細に説明する。
【００２１】
実施例に基づき、図面に沿って、本発明の実施の態様を説明するが、本発明はこれらに限定されるものではない。
【００２２】
図１は本発明によるプレーヤーの構成を概略的に表したブロック図であり、図５は本発明に適用されるヴォイスカードの一実施例を表した概略図であり、図６はプレーヤーの一実施例を表した概略図である。
【００２３】
本発明によるプレーヤーはヴォイスカードとオーディオブックを両方利用できる。ヴォイスカードは図５に図示されるように、表わそうとする絵、記号等と、それらを意味する文字あるいは文章等が印刷されている。さらに、ヴォイスカードには、ヴォイスカード（２００）がプレーヤーに挿入された後に再生すべきオーディオデータに該当するアドレスを表わすバーコードを含む。
【００２４】
プレーヤー本体（１００）は、図６に図示されるように、オーディオブック（３００）が安着される図書支持部（１３０）と、ヴォイスカード（２００）が挿入されるヴォイスカードの挿入部（１１０）を含む。
【００２５】
プレーヤー（１００）の機能遂行のための回路は、本体(１００)内部に位置する。プレーヤーの機能遂行のための内部構成は、図１に図示されるように、ヴォイスカード感知部（１０）、ページ感知部（２０）、カード移動部（３０）、メモリー（４０）、デジタル情報処理部（５０）、スピーカー（６０）、およびＭＣＵ（７０）を含む。
【００２６】
これらの機能部に加えて、ヴォイスカードやオーディオブックの、反復再生、停止等の機能を使用者が選択しうるように、機能選択部を含めることができる。
【００２７】
ヴォイスカード感知部（１０）は、フォトセンサーで構成されて、上記ヴォイスカードの挿入部（１１０）に設置される。ヴォイスカード（２００）が挿入されると、フォトセンサーは挿入感知信号をＭＣＵ（７０）に信号を認可する。ヴォイスカードが挿入部（１１０）を通過する間、フォトセンサーはヴォイスカード（２００）に印刷されたバーコード（２１０）を認識して、バーコードの感知信号をＭＣＵ（７０）に認可する。
【００２８】
カード移動部（３０）はカードの挿入部（１１０）に設置される。カード移動部（３０）は、カード挿入感知センサー、移動モーター、移動モーターの回転軸に装着されてその外周面がカードに密着されるように設置された移動ローラーで構成される。ヴォイスカード感知部（１０）は、このようなカード挿入感知センサーによって具現されることが好ましい。カードをカードの挿入部（１１０）のカード挿入溝の一側入口に挿入すると、カード挿入感知センサーから、感知信号がＭＣＵ（７０）に入力されて、フォトセンサーからの感知信号によってＭＣＵ（７０）から移動モーター駆動信号が出力される。移動モーターはカード挿入感知センサーからの信号がＭＣＵに認可される間駆動され、ヴォイスカードを所定速度で移動させる。
【００２９】
メモリー（４０）は、ヴォイスカード感知部（１０）から出力されるヴォイスカードのバーコードの感知信号に対応するヴォイスカードデータ位置情報とこれに該当するオーディオ情報を含むヴォイスカードの情報貯蔵部と、上記オーディオブックページ感知部から出力されるオーディオブックの情報およびページアドレス情報に対応するオーディオブックの種類、即ち全集類の場合何番目に該当するオーディオブックなのかを認識するためのオーディオブックの情報と各オーディオブックのページのデータ位置情報およびこれに該当するオーディオ情報を含むオーディオブックの情報貯蔵部で構成される。
【００３０】
メモリー（４０）に貯蔵されるヴォイスカードのアドレス情報は、トラック番地とインデックス番地で構成される。上記トラック番地は、ヴォイスカードに使われる言語の個数によって定義されて、上記インデックス番地は、上記トラック番地の下位番地で、上記ヴォイスカードに使われるキャラクターや記号の個数によって定義されて、ヴォイスカードのデータが貯蔵された位置を規定する。
【００３１】
デジタル情報処理部（５０、以下デコーダーと称する）は、メモリー（４０）から入力されるデータをデコーディングしてアナログ信号に変換する。
【００３２】
スピーカー（６０）は、上記デコーダー（５０）から変換されたアナログ信号を出力する。
【００３３】
オーディオブックページ感知部（２０）は、接点スイッチ、光センサー、リードセンサー、ホールセンサー、あるいは電子ペンからなる群から選択された一つあるいは二つ以上のものを使うことができる。図６では電子ペン方式が開示される。図６の図面番号１２０は、オーディオブックページ感知部に適用された電子ペン（１２０）を表わす。
【００３４】
オーディオブックページ感知部（２０）は、プレーヤー本体（１００）の図書支持部（１３０）に安着されたオーディオブック（３００）のオーディオブック情報と開けられたページを感知して、感知信号をＭＣＵ（７０）に認可する。
【００３５】
接点スイッチを利用する方式は、各ページごとに接点スイッチを実装して、ページ間の圧力によって生じる接点スイッチのｏｎ/ｏｆｆ動作を利用して、ページを認識する。
【００３６】
リードセンサー利用方式は、各ページごとに磁石を設置し、各ページの磁石に対応する図書支持部（１３０）の位置にリードセンサーを内装して、磁石とリードセンサーの連動作用によってページを認識する。
【００３７】
ホールセンサー利用方式は、オーディオブックのページごとに磁石片を挿入設置して、プレーヤー本体に磁界の強さに比例する電圧を差動出力するホールセンサーを設置して、ホールセンサーの出力信号によってページを認識する。ホールセンサーはホール効果を利用したセンサーで、ホール効果によると、導体や半導体に電流を流れさせてこれと直交方向に磁界を加えると、フレミング左手の法則によって磁界と直交方向に力が作用し、この力を受けて移動したキャリヤーによって、磁界と直交する方向に電位差を得られることができるのである。磁束密度のサイズが変わると、磁束密度の変化に比例して電位差も変わることになるが、この時発生する電位差の変化を差動出力した後増幅した信号をＭＣＵに入力することで、ページをめくるたびにめくったページを認識することができる。ホールセンサー用磁石片は、各ページにともに平面的に交差しないよう一定間隔を維持しながら、一個ずつ挿入固定される。オーディオブックを閉じた状態でプレーヤー本体の下部支持部に安着させる場合、各磁石片は、直下方に対応するホールセンサーの上に配列される。ホールセンサーは、オーディオブック種類認識に利用できる。即ち、全集類オーディオブックの場合、オーディオブックごとに違う強さの磁石片を挿入設置し、ホールセンサーの出力信号によってオーディオブックの冊数を識別できるようにすることである。
【００３８】
電子ペン利用方式は、オーディオブックの各ページに認識表示が含まれるようにして、電子ペン（１２０）で認識表示をマーキングすると、電子ペン（１２０）の入力信号によって、ページおよび/あるいは出力する音声データのアドレスを判断できる。
【００３９】
一方、光センサーを利用する方式のオーディオブックの一実施例は次のようである。オーディオブックの各ページに小さい通孔を形成して、通孔を通じて伝達される光を感知する光センサーを利用して、ページを認識する。即ち、オーディオブックの各ページに形成された小さい通孔に対応する位置に、光センサーを形成して、ページをめくるほど、光に露出される光センサーの数が増減することで、このような光センサー電位を感知してページのアドレス情報を認識する。
【００４０】
光センサー方式のほかの実施例としては、オーディオブックのページを認識するための手段でフォトセンサーのような光電変化素子を利用することがあげられる。光電変化素子として、投光部(光を投射する部分)および収光部（反射された光を収容する部分）が一体に構成された素子や、外部から入る光を収光部だけを具備した素子を使う。光センサーを利用したオーディオブックをより詳細に説明すると次のようである。即ち、オーディオブックは多数のページで構成されていて、各ページは透明部と内容部で構成される。透明部には、図書支持部（１３０）上の光センサーと、一対一に対応されるよう光反射部が形成されていて、内容部には、文章あるいは絵などの内容が記載されている。透明部は、光を透過できる材質で形成ポリエステル（ＰＥＴ）、ポリプロピレン（ＰＰ）のような材料が多く使われる。光反射部は、光が反射できる材質、一般的に黒色の点をスクリーン印刷あるいは間接印刷方法によって、透明部に印刷することで形成される。
【００４１】
図書支持部(１３０)の上にオーディオブックが置かれると、光反射部が図書支持部（１３０）の光センサーの直上方に位置して、お互いに一対一対応関係が形成される。それぞれの投光部から投射された光はすべて、光反射部で反射されて、収光部に入力される。全てのセンサーに光受信信号が入力されると、表紙がめくられていることと認識されて、ＭＣＵは表紙の内容が出力されるよう制御する。ページをめくると、光センサーから投射した光の中で残っているページの光反射部から反射される光だけ収光部に入力されて、この信号のよって、どのページかをＭＣＵ（７０）が認識することになる。
【００４２】
オーディオブックページ感知部（２０）は、上記のような接点スイッチ、光センサー、リードセンサー、ホールセンサー方式とともに、電子ペン方式を組合わせて使うことができる。例えば、光センサーあるいはホールセンサー方式を利用して、オーディオブックの冊数を認識するようにし、電子ペン方式を利用してページあるいは出力内容を認識できる。
【００４３】
上記のような動作で、ＭＣＵ（７０）がオーディオブックの種類(冊数)および/あるいはページのアドレス信号を受信した後、どのオーディオブックの何番目のページかを判断して、メモリー（４０）の中で、オーディオブックの情報貯蔵部の該当アドレス信号に貯蔵されたデジタルデータを受けて、デコーダー（５０）がＭＣＵ（７０）の制御下に、上記デジタルデータを音声に変換して、スピーカーを通じて再生する。オーディオブックの情報貯蔵部には、ヴォイスカード貯蔵部と類似に、ページのアドレス情報と該当ページの音声情報が貯蔵される。
【００４４】
ＭＣＵ（７０）は、上記ヴォイスカードの挿入感知信号が受信されると、上記ヴォイスカード移動部（３０）を駆動させて、上記ヴォイスカードの移動によって、ヴォイスカード感知部から出力されるヴォイスカードバーコードの感知信号によって、ヴォイスカードデータ位置を判断して、上記ヴォイスカードデータ位置に貯蔵されたオーディオデータが、上記デジタル情報処理部でデコーディングされた後、上記スピーカーを通じて出力されるように制御する。さらに、ＭＣＵ（７０）は、オーディオブックページ感知部（２０）の出力信号によってオーディオブックデータの位置を判断して、該当する位置に貯蔵されたオーディオデータがスピーカーを通じて出力されるように制御し、オーディオブックデータ出力中に上記ヴォイスカードの挿入感知信号が入力されると、オーディオブックデータを貯蔵し、挿入されたヴォイスカードに該当するデータが出力された後、貯蔵されたデータが出力できるように制御する。
【００４５】
このように構成されたオーディオブックとヴォイスカード兼用プレーヤーの作動状態を図２ないし図４を参照して説明する。
【００４６】
図２は、プレーヤーにヴォイスカードが挿入された場合のプレーヤーの動作制御手順を表わしたフローチャートであり、図３は、オーディオブックがプレーヤーに安着された場合の動作制御手順を表わしたフローチャートであり、図４はオーディオブック出力中ヴォイスカードが挿入された場合の制御手順を表わしたフローチャートである。
【００４７】
図２に図示されたヴォイスカードの使用時におけるプレーヤーの動作制御手順を、ヴォイスカードの前面に印刷された絵に対応する英語情報を含め、ヴォイスカードの裏面に印刷された韓国語情報を含むヴォイスカードを例にとり説明する。
【００４８】
図２に示されるように、ヴォイスカード（２００）がプレーヤー本体のカード挿入開口部（１１０）の挿入ホールに挿入されると、ヴォイスカード感知部（１０）のフォトセンサーから感知信号がＭＣＵ（７０）に適用される（Ｓ１１０）。フォトセンサーの感知信号が適用されると、ＭＣＵはヴォイスカード移動部（３０）の移動モーター駆動信号を出力して、移動モーターを駆動する（Ｓ１２０）。
【００４９】
フォトセンサーは、ヴォイスカード（２００）が継続的に移動されることによってバーコード（２１０）を判読して、文字を含むアドレス情報（例えば、０，０）をＭＣＵ（７０）に送信する（Ｓ１３０）。ＭＣＵはアドレス情報を受信すると、メモリーのヴォイスカード情報に格納されたトラック番地０およびインデックス番地０に対応する音声情報を読み取り、（Ｓ１４０）、読み取った音声情報をデジタル情報処理部（デコーダー、５０）に送信する（Ｓ１５０）。デコーダー（５０）は音声情報をアナログ音声に変換して、スピーカー（６０）を通じてアナログの音声を再生する（Ｓ１６０，Ｓ１７０）。
【００５０】
さらに、ユーザーが印刷された絵に対応する韓国語を聞きたい時には、韓国語が印刷されたヴォイスカードの裏面をヴォイスカードの挿入部（１１０）に挿入すると、カードヴォイスカード移動部（３０）が駆動すると、ヴォイスカード前面と同じ相互作用関係によってオーディオデータを再生する。
【００５１】
上記実施例はヴォイスカードの前面および裏面にそれぞれ一つのバーコードが形成されたヴォイスカードに関することであるが、カードの前裏面にそれぞれ複数のバーコードを形成することもある。例えば、同一なキャラクターおよび記号に対してヴォイスカードの前面にはアルファベット、日本語の文字と対応するバーコードが印刷されて、ヴォイスカードの裏面には韓国語の文字と対応する他のバーコードが印刷されて、一つのヴォイスカードで三つの言語が学習されるようにしてもよい。このような場合、図５の例示通り、ヴォイスカード移動部（３０）がヴォイスカードを移動するので、ヴォイスカードに格納された音声情報は、本発明によるプレーヤーのメモリー上のヴォイスカードの情報貯蔵部のトラック番地０、インデックス番地０に貯蔵された英語で、トラック番地１、インデックス番地０に貯蔵された韓国語で、トラック番地２、インデックス番地０に貯蔵された日本語でおのおの再生できる。
【００５２】
図３に示すように、本発明によるオーディオブック使用時におけるプレーヤー制御手順の実施例は次のようである。本実施例では電子ペン方式とホールセンサー方式を組合わせて使用した例を説明する。
【００５３】
プレーヤー本体（１００）の図書支持部（１３０）にオーディオブック（２００）を載せ、電源をオンするとオーディオブックページ感知部（２０）のホールセンサーは感知信号をＭＣＵ（７０）に送り、使用者が電子ペン（１２０）を利用してページ認識表示をマーキングするとＭＣＵ（７０）に感知信号が送られる（Ｓ２１０）。ＭＣＵ７０はホールセンサー感知信号および/あるいは電子ペン感知信号を受けると（Ｓ２２０）、その信号に対応するオーディオブックのページアドレスを判断する（Ｓ２３０）。そして、Ｓ２３０のステップで判断されたアドレスに対応するオーディオブックのオーディオデータをデジタル情報処理部に送る（Ｓ２４０）．上記デジタル情報処理部でデコーディングされたオーディオデータをスピーカーを通じて出力する（Ｓ２５０，Ｓ２６０）。
【００５４】
上記のようにホールセンサー方式と電子ペン方式を併用する場合、ホールセンサー感知信号によってオーディオブックの冊数を識別して、使用者の操作によって入力される電子ペンの感知信号によってページと出力する内容を判断できるようになる。即ち、使用者がオーディオブックのぺージ内の認識表示をマーキングするところによって、オーディオブックに含まれる単語と文章の出力を中断しないでヴォイスカードを挿入する場合がある。図４はこのような場合の実施例を表わす。図示されることのようにオーディオブック出力中ヴォイスカードが挿入されてフォトセンサーからの挿入信号がＭＣＵに入力されると（Ｓ３１０，Ｓ３２０）、ＭＣＵ７０はオーディオブックのオーディオ出力を中断してデコーディングされた残りのデータをバッファに貯蔵する（Ｓ３３０，Ｓ３４０，Ｓ３５０）。それに、図３に図示されたようなヴォイスカードモードを実行する（Ｓ３６０）。即ち、カード移動部（３０）を駆動して、ヴォイスカード感知部から入力される信号を受けて、その信号に基づいてバーコードを判断し、そのバーコードに対応するヴォイスカードオーディオデータのアドレスを判断した後、判断されたアドレスに対応するヴォイスカードのオーディオデータをデジタル情報処理部に送り、そのオーディオデータをデコーディングし、スピーカーによりデコードされたオーディオデータを出力する。それからＭＣＵ７０は、ヴォイスカードのデコードされたオーディオデータの出力が完了したかを判断した後（Ｓ３７０），完了されたと判断できれば上記Ｓ３５０段階で貯蔵されたデータをスピーカーを通じて出力する。
【００５５】
上記した発明に関する好ましい実施の形態は、説明を目的に開示されたものであるが、これらの技術は、特許請求の範囲に開示された発明の範囲及び趣旨の範囲内で、種々の変更、付加、置換が可能である。
【図面の簡単な説明】
【００５６】
【図１】本実施の形態によるプレーヤーの構成を概略的に表したブロック図である。
【図２】本実施の形態によるプレーヤーの制御手順を表したフローチャートである。
【図３】本実施の形態によるプレーヤーの制御手順を表したフローチャートである。
【図４】本実施の形態によるプレーヤーの制御手順を表したフローチャートである。
【図５】本実施の形態に適用されるヴォイスカードの一実施例を表した概略図である。
【図６】本実施の形態によるプレーヤーの一実施例を表した概略図である。
【符号の説明】
【００５７】
１０：ヴォイスカード感知部
２０：ページ感知部
３０：カード移動部
４０：メモリー
５０：デジタル情報処理部
６０：スピーカー
【図１】
2005091769.tif 000003
【図２】
2005091769.tif 000004
【図３】
2005091769.tif 000005
【図４】
2005091769.tif 000006
【図５】
2005091769.tif 000007
【図６】
2005091769.tif 000008